(57)【要約】【課題】建築物のコーナーに設置する断熱パネルであって、搬送性及び、施工時の作業効率を向上させる。【解決手段】建築物のコーナー用断熱パネル１０であって、二個の発泡性合成樹脂製の断熱ユニット１１と、上記断熱ユニット同士を接合する粘着テープ１２とを有し、上記粘着テープ１２は、断熱ユニット１１同士を、その接触面１１ａの一辺同士が突き合わされた状態で接合し、かつ、その突き合わせ部分を中心に屈曲可能とすることにより、上記接触面１１ａ同士が離れて全体が略平面状となる搬送状態と、接触面１１ａ同士が当接して全体が前記コーナー部分を覆う屈曲形状となる状態とに切り替え可能となるように接合し、上記接触面同士が接触している状態で、相互の断熱ユニットに形成された凹部が連続するように構成されている。【選択図】      図１
2004176454.tif 000002
【特許請求の範囲】
【請求項１】
建築物のコーナー部分の少なくとも二側面を被覆するコーナー用断熱パネルであって、
少なくとも、二個の発泡性合成樹脂製の断熱ユニットと、上記断熱ユニット同士を接合する接合材とを有し、
当該断熱ユニットは、その内側面に形成された凹部と、当該凹部が設けられた面の一側面に設けられ、他方の断熱ユニットと接触する接触面とを具備し、
当該接合材は、断熱ユニット同士をその接触面の一辺同士が突き合わされた状態で接合し、かつ、その突き合せ部分を中心に屈曲可能とすることにより、上記接触面同士が離れて全体が略平面状となる搬送状態と、上記接触面同士が当接して全体が前記コーナー部分を覆う屈曲形状となる使用状態とに切り替え可能となるように接合するものであり、
上記接触面同士が接触している状態で、相互の断熱ユニットに形成された凹部が連続するように構成されている
ことを特徴とするコーナー用断熱パネル。
【請求項２】
上記凹部は、斜め方向に略直線上に延びるように形成されたことを特徴とする請求項１記載のコーナー用断熱パネル。
【請求項３】
上記凹部は、当該断熱ユニットの内側面側から見て右斜め方向に略直線上に延びるように形成された凹部と、左斜め方向に略直線上に延びるように形成された凹部とが交わるものであることを特徴とする請求項２記載のコーナー用断熱パネル。
【請求項４】
上記凹部及び上記接触面は、上記断熱ユニットの表面を除去加工することにより形成されていることを特徴とする請求項１乃至３のいずれかに記載のコーナー用断熱パネル。
【請求項５】
上記請求項４記載のコーナー用断熱パネルを製造する方法であって、
発泡性合成樹脂を板状に成型した工程と、
上記板状に成型した発泡性合成樹脂の表面を除去加工することにより凹部を形成する工程と、
上記断熱材をカットすることにより上記接触面及び上記断熱ユニットを形成する工程と、
上記各々の断熱ユニットの一辺同士を、接触面の一辺同士が突き合わせ、その突き合わせ部分を中心に屈曲可能とする状態となるように当該突き合わせ部分に上記接合材を接合する工程とを有し、
上記接合材を接合する工程においては、上記断熱ユニットの接触面同士が接触したときに相互の断熱ユニットに形成された凹部が連続する状態とすること
を特徴とするコーナー用断熱パネルの製造方法。
【請求項６】
上記請求項１乃至４記載のいずれかに記載のコーナー用断熱パネルを建築物のコーナー部に施工する方法であって、
上記コーナー用断熱パネルの接触面同士を離して当該パネル全体が略平面状となる状態で搬送する工程と、
上記接触面同士を当接させて上記断熱パネル全体が屈曲する状態とし、この断熱パネルを、当該断熱パネルが建築物のコーナー部分の二側面を被覆するように設置する工程と
を有することを特徴とするコーナー用断熱パネルの施工方法。
【発明の詳細な説明】
【０００１】
【発明の属する技術分野】
本発明は、建築物の床下空間と屋根裏空間とを外壁部に設けた通気路により連通させて空気を循環する建築物に使用する断熱パネルに関するものである。
【０００２】
【従来の技術】
従来、建築物内部を快適な温度に調節する方法の一つとして、建築物の床下空間と屋根裏空間とを、外壁部の内部に設けられた連通路により連通させ、暖気、冷気等の空気を循環することにより、これらの空気を床下部分及び連通路及び屋根裏空間内を循環させる方法がある。
【０００３】
この構造では建築物内部を外気から断熱するため、外壁部の内部に断熱パネルを設置する必要があるが、上記空気の循環を妨げないように、図１８（ａ）のように、発泡合成樹脂製の断熱層１１１の表面に凹部１１３が設けられた断熱パネル１１０が使用されている。このパネルを設置する際、図１８（ｂ）のように凹部１１３が設けられている方の表面と構造用柱１２１とが接触するようにすると、たとえ構造用柱１２１が存在していても、上記空気は凹部１１３を通じて流動することが出来、上記の空気循環を妨げることはない。
【０００４】
このような断熱パネル１１０を建築物のコーナー部に施工する方法としては、下記の方法が採用されていた。
【０００５】
▲１▼  図１９（ａ）、（ｂ）に記載のように、断熱パネル１１０の角を斜めにカットしてカット面１１０ａを形成し、図２０（ａ）に記載のように、内壁ボード１３２、１３２のコーナー部の外側に設置された構造用柱１２１の二側面に二枚の断熱パネル１１０を取り付ける。この際、凹部１１３が設けられている方の表面と構造用柱１２１とが接触するようにし、かつ、断熱パネル１１０、１１０の各々のカット面１１０ａ同士を接触させるようにする。その後、図２０（ｂ）のように、断熱パネル１１０の外側に外壁材１３１を取り付ける。なお、内壁ボード１３２と断熱パネル１１０との間隙には空気循環用の連通路１５０が形成されている。
【０００６】
▲２▼  図２１（ａ）に記載のように、断熱パネル１１０をカットして、上記断熱パネル１１０よりも幅寸法の短いコーナー用断熱パネル１１５を構造用柱１２１に取り付けることにより、上記構造用柱１２１の二側面が断熱パネル１１０及びコーナー用断熱パネル１１５で覆われるようにする。その後、上記施工方法▲１▼と同様、断熱パネル１１０の外側に外壁材１３１を取り付ける。なお、コーナー部における断熱性能を保つため、コーナー用断熱パネル１１５の凹部１１７には、ウレタン等の充填材を充填する。
【０００７】
▲３▼  図２２に記載するようなＬ字型断面を持つ断熱材ａの内側面に通気用溝ｂが形成されたコーナー用断熱パネルを（特許文献１参照）建築物のコーナー部に設置する。
【０００８】
【特許文献１】
実開昭６０−８４６１２号公報
【０００９】
【発明が解決しようとする課題】
しかしながら、上記施工方法▲１▼、▲２▼の方法で施工すると、上記断熱パネル１１０同士、又は上記断熱パネル１１０とコーナー用断熱パネル１１５との接続部分においては、凹部１１３、１１７を連続させることが非常に困難であり、コーナー部分に隣接する連通路１５１同士を凹部１１３、１１７にて連通させる場合、作業現場で相当な手間をかける必要がある。
【００１０】
また、上記施工方法▲３▼に記載されているような断熱パネルａを建築物に設置する場合、建築現場まで搬送するとき、上記断熱パネルａの形状はＬ字型断面であるためかさばる。特に、上記の断熱パネルを複数枚重ねて運搬する時などにおいては、上記断熱パネル同士を重ねた時に出来る空間が大きく、搬送効率の低下の影響が大きい。
【００１１】
よって、本発明は、建築物のコーナー部に設置するコーナー用断熱パネルであって、施工する際の手間を軽減しつつ、搬送効率をも向上させたものを提供する。
【００１２】
【課題を解決するための手段】
本発明は、建築物のコーナー部分の少なくとも二側面を被覆するコーナー用断熱パネルであって、少なくとも、二個の発泡性合成樹脂製の断熱ユニットと、上記断熱ユニット同士を接合する接合材とを有し、当該断熱ユニットは、その内側面に形成された凹部と、当該凹部が設けられた面の一側面に設けられ、他方の断熱ユニットと接触する接触面とを具備し、当該接合材は、断熱ユニット同士をその接触面の一辺同士が突き合わされた状態で接合し、かつ、その突き合せ部分を中心に屈曲可能とすることにより、上記接触面同士が離れて全体が略平面状となる搬送状態と、上記接触面同士が当接して全体が前記コーナー部分を覆う屈曲形状となる使用状態とに切り替え可能となるように接合するものであり、上記接触面同士が接触している状態で、相互の断熱ユニットに形成された凹部が連続するように構成されているものである。
【００１３】
このようなコーナー用断熱パネルを建築物のコーナー部に施工する方法としては、請求項６に記載のように、上記コーナー用断熱パネルの接触面同士を離して当該パネル全体が略平面状となる状態で搬送する工程と、上記接触面同士を当接させて上記断熱パネル全体が屈曲する状態とし、この断熱パネルを、当該断熱パネルが建築物のコーナー部分の二側面を被覆するように設置する工程とを有するように施工することが出来る。
【００１４】
よって、上記コーナー用断熱パネルを搬送するときは当該パネル全体を略平面状とすることが出来るため、運搬の際、上記断熱パネル同士を重ねても上記断熱パネル同士の間に出来る間隙は少なく、従来技術と比較して搬送効率が向上する。
【００１５】
さらに、作業現場にて上記コーナー用断熱パネルを建築物のコーナー部に設置する際においては、上記コーナー用断熱パネルを上記断熱ユニット同士の突き合わせ部分を中心に屈曲させ、上記接触面同士を接触させて上記断熱パネル全体が屈曲する状態とするだけで、相互の断熱ユニットに形成された凹部を連続させることが出来る。したがって、従来の施工方法▲１▼及び▲２▼のように、作業現場でコーナー部分に位置する凹部同士を連続させるのに手間取るようなことがない。
【００１６】
また、上記のようなコーナー用断熱パネルは、請求項２に記載のように、上記凹部が斜め方向に略直線上に延びるように形成された場合には、従来の施工方法▲１▼及び▲２▼を採ると、断熱パネルの切断する位置によって凹部の上下方向の位置がずれ、特に凹部同士を接続させることが困難となるため特に有効な形状となる。なお、このようなコーナー用断熱パネルにおいては、上記凹部の方向が、水平方向成分と垂直方向成分とを併有していることから、連通路同士を水平方向に連通する機能を確保しながら循環空気を円滑に上下方向に流動させることができ、より高い空調性が確保される。
【００１７】
なお、上記コーナー用断熱パネルにおいては、請求項３記載のように上記凹部が、当該断熱パネルの内側面から見て右斜め方向に略直線上に延びるように形成された凹部と、左斜め方向に略直線上に延びるように形成された凹部とが交わるように形成すると、空気の循環状態を向上させる上でより好ましい。
【００１８】
請求項４記載のコーナー用断熱パネルは、上記凹部及び上記接触面を、上記断熱ユニットの表面を除去加工することにより形成したものである。
【００１９】
このようなコーナー用断熱パネルの製造方法としては、請求項５記載のように、発泡性合成樹脂を板状に成型した工程と、上記板状に成型した発泡性合成樹脂の表面を除去加工することにより凹部を形成する工程と、上記断熱材をカットすることにより上記接触面及び上記断熱ユニットを形成する工程と、上記各々の断熱ユニットの一辺同士を、接触面の一辺同士が突き合わせ、その突き合わせ部分を中心に屈曲可能な状態となるように当該突き合わせ部分に上記接合材を接合する工程とを有し、上記接合材を接合する工程においては、上記断熱ユニットの接触面同士が接触したときに相互の断熱ユニットに形成された凹部が連続する状態とする方法を採ることが出来る。
【００２０】
この点、従来技術▲３▼に記載されているようなコーナー用断熱パネルにおいては、予め凹部が形成された金型内に上記合成樹脂を注入し、金型内で上記合成樹脂を発泡させて成型する方法で製造する必要がある。この場合、凹部が形成される部分についての発泡倍率がばらつき、安定した断熱性能が確保できない。
【００２１】
反面、本発明においては、上記コーナー用断熱パネルは、発泡性合成樹脂を板状に成型し、その板状に成型された発泡性合成樹脂の表面を除去加工することにより上記凹部及び上記接触面を形成することが出来るため、従来のように発泡倍率が低下するといった事態が防止され、断熱性能が低下することが防止されることになる。
【００２２】
【発明の実施の形態】
本発明の実施形態について、図１〜図１３を用いて説明する。ただし、本発明は以下の実施形態に限定されることはない。
【００２３】
図１は、本実施形態にかかるコーナー用断熱パネル１０の斜視図である。
【００２４】
このコーナー用断熱パネル１０は、二個の断熱ユニット１１と、当該断熱ユニット１１の外側面に接着され、上記断熱ユニット１１同士を接合する粘着テープ１２（接合材に相当）とを具備している。
【００２５】
各々の断熱ユニット１１は、主にポリスチレン、ウレタン、フェノール等の合成樹脂を発泡させたものからなり、建築物に取り付けることにより、建築物の断熱を行うことが出来る。また粘着テープ１２が接触する面と反対側の表面（内側面に相当。以下、内側面と称す）には、凹部１３が設けられており、凹部１３が設けられた面の一側面は、略４５°の角度でコーナーカットした形状の接触面１１ａを具備している。
【００２６】
そして、粘着テープ１２は、当該断熱ユニット１１同士を、その接触面１１ａの一辺同士が突き合わされた状態で接合し、かつ、その突き合わせ部分を中心に上記断熱ユニット１１は屈曲可能となっており、上記接触面１１ａ同士は接触可能な状態となっている。すなわち、上記接触面１１ａ同士が離れてコーナー用断熱パネル１０の全体が略平面状となる状態と、図２のように接触面１１ａ同士が当接して断熱全体が略９０°に屈曲する形状となる状態とに切り替え可能となっている。
【００２７】
凹部１３は、コーナー用断熱パネル１０をその内側面側から見たとき、右上がり方向（右斜め方法）及び左上がり方向（左斜め方法）に各々等間隔で略４５度の角度で略直線状に延びるように形成され、右上がり方向に設けられた凹部１３と左上がり方向に設けられた凹部１３とは交わるようになっている。そして、図２のように接触面１１ａ同士が当接すると、各々の断熱ユニット１１に設けられている凹部１３同士が連続するようになっている。
【００２８】
次に、このコーナー用断熱パネル１０を製造する方法を図３〜図１０を用いて説明する。
【００２９】
工程▲１▼（図３参照）：上記合成樹脂（ポリスチレン、ウレタン、フェノール等）を、発泡させながら押出加工機等を用いて上記合成樹脂を押出し、当該合成樹脂を長方形板状の発泡体１に成型する。
【００３０】
工程▲２▼（図４参照）：先端にエンドミル等の工具を取り付けた切削加工機６０に、その切削方向に対し、発泡体１の各辺が略４５°傾くように上記発泡体１をセットし、その左半分の表面を除去加工することにより発泡体１の左半分表面に凹部１３を形成する。
【００３１】
工程▲３▼（図５、図６参照）：図５のように、工程▲２▼の状態から、発泡体１を９０°回転させた後、工程▲２▼の場合と同様、上記切削加工機６０にて発泡体１の左半分の表面を除去加工し、凹部１３を形成する。そして、当該工程▲３▼と同じ作業をあと３回繰り返し（すなわち、計４回かかる作業を行う）、図６に記載されているように、発泡体１に凹部１３が右上がり方向及び左上がり方向に等間隔、かつ、略４５度の角度で形成されるようにする。なお、本実施形態では、工程▲２▼、▲３▼にて除去加工は計４回行っているが、工程▲２▼、▲３▼での除去加工について、発泡体１の左半分のみを行うだけでなく、発泡体１全面について行い、除去作業を計２回で終了させるようにしてもよい。
【００３２】
工程▲４▼（図６参照）：凹部１３が形成された発泡体１を点線で示した位置に沿って、カット後の発泡体１の幅が２Ｗとなるようにカットする。なお、上記点線は、凹部１３同士が交差する部分の中心を結んだ線であり、Ｗとは上記点線の間隔である。
【００３３】
工程▲５▼（図７、図８参照）：上記２Ｗの幅にカットした発泡体１について、図７に記載の点線に沿ってその両側面をカットすることにより、図８に記載するような接触面１１ａを形成する。なお、カットする角度αは略４５°の角度とする。
【００３４】
工程▲６▼（図８、図９参照）：Ｗの幅で発泡体１をさらにカットし、図９のように、２個の断熱ユニット１１を形成する。
【００３５】
工程▲７▼（図９、図１０参照）：図９に記載の断熱ユニット１１同士を、図１０に記載のように接触面１１ａのうち、最も外側面側に位置する辺１１ｂ同士が接触するように突き合わせる。そして、断熱ユニット１１の外側面１１ｃに粘着テープ１２を貼合して、上記突き合せ部分を接合することにより、図１のコーナー用断熱パネル１０を作成する。なお、上記粘着テープ１２は、上記断熱ユニット１１が、その突き合わせ部分を中心に屈曲可能であり、かつ、接触面１１ａ同士が接触したときに相互の断熱ユニット１１に形成された凹部１３が連続するような状態で貼合する。
【００３６】
このようなコーナー用断熱パネル１１を用いた建築物の構造を、図１１に示す。図１１は、本実施形態における空気循環式建築物のコーナー部分近辺の壁の構造を上から断面的に示したものである。この建築物には、この構造全体を支える複数の構造用柱１２１が各々間隔を置いて設置されている。なお、本図においてはコーナー部分に設置されている構造用柱１２１のみが図示されている。
【００３７】
そして、構造用柱１２１の外側面には、断熱パネル１１０及びコーナー用断熱パネル１０が密着した状態で設置され、さらにその外側には通気胴縁１１６、さらにその外側には外壁材１３１が設置されている。そして、構造用柱１２１の内側には内壁ボード１３２が設置され、建築物の内部（室内）に面している。
【００３８】
そして、コーナー用断熱パネル１０と構造用柱１２１との固定は、コーナー用断熱パネル１０の外側に通気胴縁１１６を設置し、その外側からビス１４１を貫入することで行っている。断熱パネル１１０と構造用柱１２１との固定についても、図示していないが、断熱パネル１１０の外側に通気胴縁１１６を設置し、その外側からビス１４１を貫入することで行っている。また、外壁材１３１と断熱パネル１１０及びコーナー用断熱パネル１１との固定についてもビス１４１を貫入することで行っている。
【００３９】
このような構造によると、構造用柱１２１内壁ボード１３２及び断熱パネル１１０で囲まれた部分に連通路１５０となる間隙が構成される。この連通路１５０は、図示しないが屋根裏部分に構成された空間と床下部分に構成された空間とに連通しており、床下部分に設置された冷暖房器具で作り出した冷気又は暖気等の空気を、屋根裏部分まで流動、循環させている。そして、これらの冷気又は暖気が連通路１５０内を流動することにより、冷気又は暖気の熱が内壁ボード１３２を通じて建築物の内部へ伝熱され、建築物内部は快適な温度に調節される。なお、内壁ボード１３２と外壁材１３１との間に存在する湿気等は外壁材１３１と断熱パネル１１０との間隙に形成され、かつ、外気と連通された状態で形成されている（図示せず）通空路１５１を通じて外気へ放出される。
【００４０】
また、図１２のように、凹部１３、１１３は構造用柱２１の外側面を連通するような構成となっており、隣接する連通路５０同士が凹部１３、１１３を通じて連通している。
【００４１】
次に、コーナー用断熱パネル１０を用いて上記建築物を施工する方法について、図１１、図１３にて説明する。
【００４２】
工程▲１▼（図１３（ａ）参照）：コーナー用断熱パネル１０を作業現場まで搬送する。この際、上記コーナー用断熱パネル１０は、接触面１１ａ同士を離して、かかるコーナー用断熱パネル１０全体が略平面状となる状態とし、かかる状態のコーナー用断熱パネル１０を複数枚積層した状態で搬送する。
【００４３】
工程▲２▼（図１３（ｂ）、（ｃ）参照）：作業現場で、図１１（ｂ）のように全体が略平面状になったコーナー用断熱パネル１０を、一方の断熱ユニット１１を屈曲させ、図１３（ｃ）のように断熱ユニット１１に形成された接触面１１ａ同士を接触させている。
【００４４】
工程▲３▼（図１１参照）：予め、内壁ボード１３２及び構造用柱１２１が設置された建築物において、コーナー部に位置する構造用柱１２１の外側面となる二側面に、コーナー用断熱パネル１０をその内側面が接触するように設置する。なお、構造用柱１２１には、そのコーナー部分を除いて断熱パネル１１０が設置されており、かかるコーナー部分にコーナー用断熱パネル１０を設置すると、図１２のように、凹部１３と凹部１１３とが連続するように配置され、隣接する連通路１５０同士が凹部１３、１１３を通じて連通するようになっている。その後、コーナー用断熱パネル１０及び断熱パネル１１０の外側に通気胴縁１１６を設置し、その外側からビス１４１を貫入して構造用柱１２１まで貫通させることで断熱パネル１１０並びにコーナー用断熱パネル１０と構造用柱１２１とを固定する。そして、外壁材１３１を設置して、その外側からビス１４１を貫入することで断熱パネル１１０及びコーナー用断熱パネル１０と外壁材１３１との固定を行う。
【００４５】
このようなコーナー用断熱パネル１０を用いると、作業現場まで搬送する場合、上記コーナー用断熱パネル１０は、その全体が略平面状となる状態となるため、コーナー用断熱パネル１０を複数枚積層させても、上記コーナー用断熱パネル１０同士の間に出来る間隙は少ないため、従来技術と比較して搬送効率が向上する。
【００４６】
さらに、作業現場にてコーナー用断熱パネル１０を建築物のコーナー部に設置する際においては、このコーナー用断熱パネル１０の断熱ユニット１１の同士の突き合わせ部分（接触面１１ａのうち最も外側面側に位置する辺１１ｂ、１１ｂ同士が突き合わさっている部分）を中心に屈曲させ、接触面１１ａ同士を接触させてコーナー用断熱パネル１０全体が屈曲する状態とするだけで、相互の断熱ユニット１１に形成された凹部１３を連続させることが出来る。そして、かかる状態のコーナー用断熱パネルを構造用柱１２１のコーナー部に設置するだけで、図１２のように、凹部１３と凹部１１３とは連続するように配置され、隣接する連通路１５０同士が凹部１３、１１３を通じて連通するようになっている。したがって、従来の施工方法▲１▼及び▲２▼のように、作業現場でコーナー部分に位置する凹部同士を連続させるのに手間取るようなことがない。
【００４７】
よって、このコーナー用断熱パネル１０を用いると、建築物のコーナー部分において施工する際の手間を軽減することが出来、さらには、このコーナー用断熱パネル１０を作業現場まで搬送する効率をも向上させることが出来る。
【００４８】
また、断熱パネル１１０を上記のような構造にすることは、凹部１３、１１３が斜め方向に略直線上に延びるように形成されている形状においては特に有効である。なぜなら、従来の施工方法▲１▼及び▲２▼を採ると、断熱パネルの切断する位置によって凹部の上下方向の位置がずれ、特に凹部同士を接続させることが困難となるからである。なお凹部１３、１１３が斜め方向に略直線上に延びるように形成されているため、上記凹部１３、１１３は水平方向成分と垂直方向成分とを併有していることになり、連通路１５０同士を水平方向に連通する機能を確保しながら循環空気を円滑に上下方向に流動させ、より高い空調性が確保することが可能となる。
【００４９】
さらに、上記凹部１３、１１３は、当該断熱パネルの内側面から見て右上がり方向に略直線上に延びるように形成された凹部１３、１１３と、左上がり方向に略直線上に延びるように形成された凹部１３、１１３とが交わるように形成されているため、左右いずれかの方向のみに延びるように凹部１３を形成されている場合と比較して、より多方向へ空気を循環させることが出来、空気循環を妨げる可能性をより軽減し、空気の循環状態をより向上させることが出来る。
【００５０】
また、コーナー用断熱パネル１１は、凹部１３及び接触面１１ａを、上記断熱ユニットの表面を除去加工することにより形成されているため、従来のように予め凹部が形成された金型内に上記合成樹脂を注入し、金型内で上記合成樹脂を発泡させて成型する方法で製造する場合のように、凹部が形成される部分についての発泡倍率が低下するといった事態が生じない。よって、従来より断熱性能を向上させることが可能となる。
【００５１】
その他実施形態
１）  上記凹部１３の形状は、図１５に記載するように、断熱ユニット１１の接触面１１ａ同士を当接させ、上記断熱ユニット１１同士を当接させたとき、右上がり方向に延びる凹部１３と左上がり方向に延びる凹部１３とがその当接した部分でＸ字型に交差する、すなわち交差部１３ａを設けてもよい。なお、図１４は、図１５のコーナー用断熱パネル１０において、上記断熱ユニット１１の接触面１１ａ同士を離し、コーナー用断熱パネル１０全体を略直線状とした状態を示したものである。
【００５２】
２）  上記の交差部１３ａについては、上記のようにＸ字にのみに限定されるものではなく、例えば、図１６、図１７に示すように長さ方向（図１６、図１７においては上下方向）に延びるような形状にしてもよい。
【００５３】
３）  断熱ユニット１１同士の接合は、粘着テープ１２を断熱ユニット１１に貼合する代わりに、例えば、不織布、合成樹脂等の素材で作製されたシートを用い、少なくとも上記シート又は断熱ユニット１１に接着材を塗布し、上記シートを断熱ユニット１１に接着させるようにしてもよい。なお、このシートの一例としては、防水性、防風性、透湿性を備えた不織布製のものが挙げられる。このシートを接着させた断熱バネル１０を建築物に設置すると、このシートより建築物内側に存在する湿気を外部へ排出すると共に、このシートより建築物外側から、風や水分が入り込むことを低減することが可能となる。
【００５４】
【発明の効果】
以上のように本発明は、上記コーナー用断熱パネルは、上記搬送状態においては当該パネル全体を略平面状とすることが出来るため、運搬の際、上記断熱パネル同士を重ねても、上記断熱パネル同士の間に出来る間隙は少なく、従来技術と比較して搬送効率を向上させることが出来る。
【００５５】
さらに、作業現場にて上記断熱パネルを建築物のコーナー部に設置する際においては、上記断熱パネルを上記断熱ユニット同士の突き合わせ部分を中心に屈曲させ、上記接触面同士を接触させて上記断熱パネル全体が屈曲する状態とするだけで、相互の断熱ユニットに形成された凹部を連続させることが出来る。よって、このコーナー用断熱パネルを用いると、建築物のコーナー部分において施工する際の手間を軽減することが出来、さらには、このパネルを作業現場まで搬送する効率をも向上させることが出来る。
【００５６】
なお、コーナー用断熱パネルの凹部及び接触面を上記断熱ユニットの表面を除去加工することにより形成されているため、従来技術のように上記凹部及び接触面を形成する場合において、発泡倍率がばらつき、安定した断熱性能が確保できないという事態が生じない。よって、従来より断熱性能を向上させることが可能となる。
【図面の簡単な説明】
【図１】本発明の実施形態にかかるコーナー用断熱パネルの斜視図であって、このコーナー用断熱パネルを略平面となる状態にしたものである。
【図２】本発明の実施形態にかかるコーナー用断熱パネルの斜視図であって、このコーナー用断熱パネルを屈曲させた状態にしたものである。
【図３】本発明の実施形態にかかるコーナー用断熱パネルを製造する場合であって、工程▲１▼を開始する状態を示した図である。
【図４】本発明の実施形態にかかるコーナー用断熱パネルを製造する場合であって、工程▲１▼が終了した状態を示した図である。
【図５】本発明の実施形態にかかるコーナー用断熱パネルを製造する場合であって、工程▲２▼が終了した状態を示した図である。
【図６】本発明の実施形態にかかるコーナー用断熱パネルを製造する場合であって、工程▲３▼が終了した状態を示した図である。
【図７】本発明の実施形態にかかるコーナー用断熱パネルを製造する場合であって、工程▲４▼が終了した状態を示した図である。
【図８】本発明の実施形態にかかるコーナー用断熱パネルを製造する場合であって、工程▲５▼が終了した状態を示した図である。
【図９】本発明の実施形態にかかるコーナー用断熱パネルを製造する場合であって、工程▲６▼が終了した状態を示した図である。
【図１０】本発明の実施形態にかかるコーナー用断熱パネルを製造する場合であって、工程▲７▼が終了した状態を示した図である。
【図１１】本発明の実施形態にかかるコーナー用断熱パネルを使用した建築物であって、そのコーナー部分近辺を示した図である。
【図１２】本発明の実施形態にかかるコーナー用断熱パネルとコーナー用断熱パネルに隣接する断熱パネルをその内側面側からみた斜視図である。
【図１３】（ａ）〜（ｃ）は本発明の実施形態にかかるコーナー用断熱パネルを建築物に取り付けるまでの工程を示した図である。
【図１４】本発明の他の実施形態にかかるコーナー用断熱パネルの斜視図であって、このコーナー用断熱パネルが略平面となる状態にしたものである。
【図１５】本発明の他の実施形態にかかるコーナー用断熱パネルの斜視図であって、このコーナー用断熱パネルを屈曲させた状態にしたものである。
【図１６】本発明の他の実施形態にかかるコーナー用断熱パネルの斜視図であって、このコーナー用断熱パネルが略平面となる状態にしたものである。
【図１７】本発明の他の実施形態にかかるコーナー用断熱パネルの斜視図であって、このコーナー用断熱パネルを屈曲させた状態にしたものである。
【図１８】（ａ）、（ｂ）は従来の断熱パネルを示した斜視図である。
【図１９】（ａ）、（ｂ）は建築物のコーナー部に断熱パネルを施工する方法であって、従来技術▲１▼の方法を示した図である。
【図２０】（ａ）、（ｂ）は建築物のコーナー部に断熱パネルを施工する方法であって、従来技術▲１▼の方法について図１９の状態からの続きを示した図である。
【図２１】（ａ）、（ｂ）は建築物のコーナー部に断熱パネルを施工する方法であって、従来技術▲２▼の方法を示した図である。
【図２２】従来技術▲３▼の断熱パネルを示した図である。
【符号の説明】
１      発泡体
１０  コーナー用断熱パネル
１１  断熱ユニット
１１ａ  接触面
１２  粘着テープ
１３  凹部
【図１】
2004176454.tif 000003
【図２】
2004176454.tif 000004
【図３】
2004176454.tif 000005
【図４】
2004176454.tif 000006
【図５】
2004176454.tif 000007
【図６】
2004176454.tif 000008
【図７】
2004176454.tif 000009
【図８】
2004176454.tif 000010
【図９】
2004176454.tif 000011
【図１０】
2004176454.tif 000012
【図１１】
2004176454.tif 000013
【図１２】
2004176454.tif 000014
【図１３】
2004176454.tif 000015
【図１４】
2004176454.tif 000016
【図１５】
2004176454.tif 000017
【図１６】
2004176454.tif 000018
【図１７】
2004176454.tif 000019
【図１８】
2004176454.tif 000020
【図１９】
2004176454.tif 000021
【図２０】
2004176454.tif 000022
【図２１】
2004176454.tif 000023
【図２２】
2004176454.tif 000024